(57)【要約】      （修正有）【課題】簡単な構成で、生花付きオアシスを収納した容器に、名札支持棒を安定的に立設させる装置を提供する。【解決手段】発泡樹脂製オアシスと容器の側壁間の間隙に名札を備える名札支持棒２を立設する名札支持棒立設装置において、名札支持棒２に、上端部が名札支持棒２の正面幅より数倍幅広で該上端部の両端近傍から下端に向けて漸次幅狭となる正面視大略倒立台形状を呈した自己保持力を有する可撓性プラスチック製名札支持棒固定ボード６をビス７で固定する機構を採る。従って、単にオアシスと容器の間隙に固定ボード６付支持棒２を挿入するのみで、確実に名札支持棒２を立設することができる。【選択図】図３
0003183994.tif 000002
【実用新案登録請求の範囲】
【請求項１】
容器に収納されて生花を保持する発泡樹脂製オアシスと前記容器の側壁間の間隙に名札を備える名札支持棒を立設する名札支持棒立設装置において、
前記名札支持棒の下部に、上端部が名札支持棒の正面幅より数倍幅広で該上端部の両端近傍から下端に向けて漸次幅狭となる正面視大略倒立台形状を呈した自己保持力を有する可撓性プラスチック製名札支持棒固定ボードを取り付けてなることを特徴とする名札支持棒立設装置。
【考案の詳細な説明】
【技術分野】
【０００１】
この考案は、容器に配置した生花を保持するオアシス、即ち、生花保持用発泡樹脂製オアシスに盛った生花に添えて立設する名札支持棒の直立安定化を図るための名札支持棒立設装置に係るものであり、特に、簡単な構成で、名札支持棒を安定的に容器に立設させることができるように構成した名札支持棒立設装置に関するものである。
【背景技術】
【０００２】
従来、生花に添えて名札を支持する名札棒を立設するための名札支持体に関する発明として、特開２００７−１９０２６７号公報に記載のものが開発されていた。
【考案の概要】
【考案が解決しようとする課題】
【０００３】
前記先行技術文献に記載の発明は、一つは、花器（容器）と該花器に生けられた花同士の隙間を目立たなくするために花の背後において花器に立設された背板と、該背板に形成された名札ホルダーとを備え、前記背板が前記花器に対して着脱自在としたものである（請求項２記載に係る発明）。
【０００４】
ところで、前記先行技術文献に記載の発明は、花器（容器）と該花器に生けられた花同士の隙間に前記背板を前記花器に対して着脱自在としたものであるが、前記背板を垂直に立設させることが困難であった。
【０００５】
そこで、前記容器に、前記背板の起立状態を維持するために、背板保持部を形成することによって、対処している（請求項４記載に係る発明）。
【０００６】
しかしながら、このような構成では、容器に予め、背板保持部を成形することとなり、複雑な機構と労力を必要とし、使い勝手が良好とは言えず煩瑣であった。
【０００７】
そこで、容器に載置した生花を保持するオアシス、即ち、生花保持用発泡樹脂製オアシスに盛った生花に添えて立設する名札支持棒を、簡単な構成で、直立に、安定的に立設するためにはどのようにすべきかが技術上の課題となっており、本考案は、このような技術的課題を解決することを目的とするものである。
【０００８】
また、名札支持棒を容器とオアシスの間隙に挿し込んで安定的に直立させるにつき、生花を設営する現場において、はじめて不具合を発見するという現場管理上の問題点が生気しており、斯かる不具合につき簡便に対処するために問題が浮上しており、このような技術的課題を解決することも、本考案の目的である。
【課題を解決するための手段】
【０００９】
本考案は、前記目的を達成するために提案されたものであり、
容器に収納されて生花を保持する発泡樹脂製オアシスと前記容器の側壁間の間隙に名札を備える名札支持棒を立設する名札支持棒立設装置において、
前記名札支持棒の下部に、上端部が名札支持棒の正面幅より数倍幅広で該上端部の両端近傍から下端に向けて漸次幅狭となる正面視大略倒立台形状を呈した自己保持力を有する可撓性プラスチック製名札支持棒固定ボードを取り付けてなることを特徴とする名札支持棒立設装置を提供するものである。
【考案の効果】
【００１０】
本考案は、名札支持棒の下部に、上端部が名札支持棒の正面幅より数倍幅広で該上端部の両端近傍から下端に向けて漸次幅狭となる正面視大略倒立台形状を呈した自己保持力を有する可撓性プラスチック製名札支持棒固定ボードを取り付けたので、名札を支持する部分の構成要素は名札支持棒と自己保持力を有する可撓性プラスチック製固定ボードの二つだけであり、即ち、ツウピース（２ｐｉｅｃｅｓ）アイテムであるので構造がきわめて簡単である。また、名札支持棒立設装置に関する部品の製造も単に名札支持棒の下部に自己保持力を有する可撓性プラスチック製の固定ボードを取り付けるだけであるから、極めて簡便である。
【００１１】
又、名札棒を立設するに当たり、単に、前記可撓性プラスチック製固定ボードを固定した名札支持棒の下部を容器の側壁とオアシスとの間隙に挿入するだけで、オアシスの弾性力に起因する押圧力によって可撓性プラスチック製固定ボードと共に名札支持棒が容器の側壁に圧接されて該名札支持棒が程好く容器に立設せられることとなる。斯様にして、本考案においては、生花の現場設営時に不具合が発生しても、名札支持棒の立設機構が簡単で、支持の原理がオアシスの弾性押圧力という単純な機能に基づくので、簡便に不具合是正策を以って対処することが可能である。
【００１２】
そしてまた、本考案は名札支持棒の外、名札支持棒固定ボードの２点のみで、既存の発泡樹脂製オアシスを載置した容器の側壁と発泡樹脂製オアシス間の間隙に、名札支持棒固定ボードが付いた名札支持棒を挿入するのみで、名札支持棒を安定的に立設することができるので、機構簡単、部品数希少、製造容易、コスト低減という有用性をもたらすことを期待することがきる。
【００１３】
さらに、本考案によれば、容器に名札支持棒を受けるための受け部材等の格別の機構を備えることを要せず、又、名札支持棒の先端等に受け部に適する形状にするという機構も要せず、単に、発泡樹脂製オアシスの弾力性に起因する押圧力に依拠して、発泡樹脂製オアシスと容器の側壁間の間隙を格別の調整を要することなく、簡単に、名札支持棒を、発泡樹脂製オアシスを収納した容器に支持立設することが可能である。
【００１４】
本考案においては、発泡樹脂製オアシスを収納してなる容器であれば、如何なる形状の容器であっても、当該容器の機構に予め所定の形状、構造上の特定的な仕組みを必要とせず、汎用性が高く、使い勝手が一層向上するものである。
【図面の簡単な説明】
【００１５】
【図１】本考案に係る名札支持棒立設装置の正面斜視図である。
【図２】本考案に係る名札支持棒立設装置の構成部品に関するものであり、（ａ）は名札支持棒の正面図、（ｂ）は前記名札支持棒の側面図、（ｃ）は名札支持棒固定ボードの正面図、（ｄ）は同名札支持棒固定ボードの裏面図、（ｅ）は同名札支持棒固定ボードの上面図、（ｆ）は同名札支持棒固定ボードの下面図である。
【図３】本考案に係る名札支持棒に名札支持棒固定ボードを固定する態様を示し、（ａ）は名札を付けた名札支持棒に名札支持棒固定ボードを取付けた裏面図、（ｂ）は同名札支持棒に名札支持棒固定ボードを取付けた正面図、（ｃ）は、同名札支持棒に名札支持棒固定ボードを取付けた側面図である。
【図４】本考案に係る名札支持棒固定ボード付き名札支持棒を容器側壁と発泡樹脂製オアシスの間隙に挿入固定した状態を示し、（ａ）は一部破断縦断面図、（ｂ）は発泡樹脂製オアシスに生花を生ける態様の斜視図、（ｃ）は、［図４］（ａ）のＸ−Ｘ線で切断した水平断面図である。
【考案を実施するための形態】
【実施例１】
【００１６】
以下、本考案の一実施例につき、図面を参照して、詳述することとする。図１中、１は名札支持棒立設装置、１ａは名札であり、該名札１ａは、名札支持棒２に支持され、該名札支持棒２は、生花３を盛った発泡樹脂製オアシス５を収納する容器４の側壁と該発泡樹脂製オアシス５との間隙に立設されている。
【００１７】
前記名札支持棒２は、名札１ａを支持しつつ、容器３に立設するものであるが、前記名札支持棒２に名札１ａを支持するには、名札１ａの裏面に形成された名札装着装置（後述図３の符号８参照）に挿入して、名札支持棒２上端に載置する。該名札支持棒２の素材は木、プラスチック、金属等、如何なるものでも構わないが、簡単に入手できる木製のものが感触もよく安価である。
【００１８】
図２中、６は、名札支持棒固定ボードである。該名札支持棒固定ボード６は、名札支持棒２の正面幅（横幅）より数倍幅広で該正面両端から下端に向けて漸次幅狭となる正面視略倒立台形状を呈しており、素材は自己保持力のある可撓性プラスチックックで製造されている。
前記名札支持棒２を容器４に立設するに当たり、名札支持棒２が、発泡樹脂製オアシス５と容器４の側壁との間隙において、名札支持棒２が安定的に直立するために、前記発泡樹脂製オアシス５に面する平板状の正面部を擁するところの名札支持棒固定ボード６を名札支持棒２に取付ることを通じて、前記名札支持棒２のみでは安定的に立設保持できない危惧を解消する機能を有するものである。
【００１９】
前記名札支持棒固定ボード６は、前記名札支持棒２に取付けて使用するものであり、取付け方は、格別特定しないが、名札支持棒固定ボード６の前面からビス７等によって、名札支持棒２に固着して取付けることができる。
【００２０】
名札支持棒固定ボード６は、平面状であり、その平面中心部を前記名札支持棒２の正面前面から固定するべく取り付けられている。
【００２１】
名札支持棒固定ボード６は、プラスチック製であれば如何なる物質でも構わないが、自己保持力を有する可撓性プラスチックであることを要する。したがって、プラスチックであるので、成形がし易く、軽くて、丈夫であり、耐湿・耐水性、耐候性があり、長持ちすることができる。
【００２２】
図３は、名札支持棒に名札支持棒固定ボードを固定する態様を示す図であり、
図３（ａ）中、８は、名札１ａの裏面に形成された名札装着装置であり、該名札装着装置８に名札支持棒２の上端を挿入して、名札１ａを該名札支持棒２の上端に載置支持するものである。名札１ａは、その名札装着装置８を利用して、名札支持棒２の上部に於いて表裏変幻自在に装着することができる。かくして、現場の事情に応じて、名札支持棒２の正面側、裏面側何れの面で任意に選択して名札１ａを装着することができる。名札装着装置８は公知の技術であるが、名札を任意に変更し、取り付ける際、単に装着の代替だけで出来るから便宜である。斯かる態様の名札支持棒２の下方に、名札支持棒固定ボード６が取付けられている。当該名札支持棒固定ボード６が取り付けられた裏面が、発泡樹脂製オアシス５と接して、名札支持棒安定ガイド板６を固定した名札支持棒２を安定的に容器に立設させることができる。
【００２３】
図３（ｂ）は、前記名札１ａを装着した名札支持棒２の下方に名札支持棒固定安ボード６を取り付けた状態の正面図であり、当該名札支持棒固定ボード６が取り付けられたた正面が、発泡樹脂製オアシス５の押圧力により前記容器の側壁に圧接され、名札支持棒安定ガイド板６が名札支持棒２を安定的に容器に立設させることができる。
【００２４】
図３（ｃ）は、一部を破断した、名札支持棒直立ガイド板６の付いた名札支持棒２の一部破断側面図であり、斯かる態様で以って、発泡樹脂製オアシス５と容器４の側壁間の間隙における緊密に発泡樹脂製オアシス５からの押圧を受けることができるものである。
【００２５】
図４は、名札支持棒固定ボード６を付した名札支持棒２を容器４の側壁と発泡樹脂製オアシス５の間隙に挿入固定した状態を示し、（ａ）は一部破断した縦断面図である。名札支持棒２の前面に取付けた名札支持棒固定ボード６の前面を容器４に収納した発泡樹脂製オアシス５が押圧し、結果容器４の側壁側の内周面に名札支持棒固定ボード６を圧接し、該発泡樹脂製オアシス５の弾性力に抗して名札支持棒固定ボード６が弾発することを通じて、該名札支持棒２を立設するものである。更に、発泡樹脂製オアシス５と容器４の間隙の緩みを名札支持棒２の正面において名札支持棒固定ボード６がその弾性力でオアシス５の押圧力を支えつつ圧接されるから、名札支持棒２が安定して立設されることとなる。
【００２６】
図４中、（ｂ）は、容器４に収納される発泡樹脂製オアシス５に、生花３を保持せしめる状況を示す斜視図である。発泡樹脂製オアシス５は公知であり、水分を含んだ軟質のスポンジ状物質で、生花を刺し込んで保持するフラワーベッドの役目をするものである。発泡樹脂製オアシス５のバウンド力に抗して、前記名札支持棒固定ボード６がその弾性変形力を利用して徐々に、発泡樹脂製オアシス５中心側に若干リバウンドして、名札支持棒固定ボード６を付した名札支持棒２の立設の安全性に資することができる。
【００２７】
図４中、（ｃ）は、図４（ａ）のＸ−Ｘ線で切断した水平断面図であり、容器４に入れられた発泡樹脂製オアシス５の弾性押圧力で名札支持棒固定ボード６が容器４の側壁に押圧圧接することに伴って、名札支持棒２も同時に容器４の側壁方向に押圧されて名札支持棒固定ボード６の固定的安定力に起因して確実に立設される態様を示すものである。
【００２８】
本考案に係る名札支持棒直立安定装置は、以上説明した通り、名札支持棒２、名札支持棒固定ボード６のツウピース物品であり、各構成部材の機構も、構造が簡単であり、製造が容易にして、取り扱いも簡単であり、コストもまた安価であり、且つ、省資源に資することができる。
【００２９】
そして、本考案においては、生花３を保持する発泡樹脂製オアシス５を収納する容器４に、予め、名札支持棒２を保持若しくは取付けるための機構を必要としておらず、既存の桶、容器が存在すれば、如何なる形状、態様のものでも、利用に供することができ、極めて便宜な考案である。
【００３０】
尚、本考案は、本考案の基本的精神を逸脱しない限り種々の改変をなすことができ、そして、本考案が該改変されたものに及ぶことは当然である。
【符号の説明】
【００３１】
１          名札支持棒立設装置
１ａ        名札
２          名札支持棒
３          生花
４          容器
５          発泡樹脂製オアシス
６          名札支持棒固定ボード
７          ビス
８          名札装着装置
【先行技術文献】
【特許文献】
【００３２】
【特許文献１】特開２００７−１９０２６７号公報
【図１】
0003183994.tif 000003
【図２】
0003183994.tif 000004
【図３】
0003183994.tif 000005
【図４】
0003183994.tif 000006